(57)【要約】【課題】例えば折り畳み式の複数の表示画面を備え、表示すべきデータを当該複数の表示画面に分割して表示するようにした携帯端末などの電子機器で、折り畳み式にした複数の表示画面間に繋ぎ部がある場合でも、文字や画像を視覚的に違和感なく表示する。【解決手段】表示対象としてメインメモリから第１表示メモリ（Ｍａ）２５ａ，繋ぎ部領域Ｙabに対応する非表示メモリ（Ｍab）２５ab，第２表示メモリ（Ｍｂ）２５ｂに展開される文字・画像データのうち、（Ｍａ）２５ａの下端からはみ出す以下の文字データＴｈについては（Ｍｂ）２５ｂの先頭から展開して繋ぎ部領域Ｙabに隠されないようにする一方で、同（Ｍａ）２５ａの下端からはみ出して（Ｍab）２５abに跨ってしまう画像データＧａ＋Ｇabについては、そのまま当該各表示メモリ（Ｍａ）２５ａ，（Ｍab）２５abに連続展開し、その一部画像が繋ぎ部領域Ｙabに隠されても間延びしないようにした。【選択図】      図６
2007122649.tif 000002
【特許請求の範囲】
【請求項１】
隣接して繋げられる複数の表示画面を１枚の画面として機能させる表示部を備えた電子機器であって、
前記表示部に表示させるべき表示データを記憶する表示データ記憶手段と、
この表示データ記憶手段に記憶された表示データを前記複数の表示画面に渡って展開して表示させる際に、当該表示データに含まれる文字が前記複数の表示画面間の繋ぎ部分にはみ出すか否かを判断する文字はみ出し判断手段と、
この文字はみ出し判断手段により前記表示データに含まれる文字が前記複数の表示画面間の繋ぎ部分にはみ出すと判断された場合には、その文字以降の文字を当該繋ぎ部分により繋がる次の表示画面に移動して表示させる繋ぎ部文字表示制御手段と、
前記表示データ記憶手段に記憶された表示データを前記複数の表示画面に渡って展開して表示させる際に、当該表示データに含まれる画像が前記複数の表示画面間の繋ぎ部分にはみ出す場合には、その画像の当該繋ぎ部分に対応する画像部分を非表示にして表示させる繋ぎ部画像非表示制御手段と、
を備えたことを特徴とする電子機器。
【請求項２】
ユーザ操作に応じて表示スクロールを指示するスクロール指示手段と、
このスクロール指示手段により表示スクロールが指示された際に、前記繋ぎ部文字表示制御手段により繋ぎ部分により繋がる次の表示画面に移動して表示させた文字と、該繋ぎ部分により繋がる手前の表示画面に表示された文字との行間を、前記次の表示画面への文字移動量に応じて元の行間に戻し、繋ぎ部分に対応する文字部分を非表示にして表示させる繋ぎ部文字非表示制御手段と、
この繋ぎ部文字非表示制御手段により繋ぎ部分に対応する文字部分を非表示にして表示させた状態で、全体の表示データを設定されたスクロール量で移動させながら当該繋ぎ部分を介した複数の表示画面上に表示させるスクロール表示制御手段と、
を備えたことを特徴とする請求項１に記載の電子機器。
【請求項３】
前記繋ぎ部文字非表示制御手段は、前記スクロール指示手段により下方向への表示スクロールが指示された際には、前記繋ぎ部文字表示制御手段により繋ぎ部分により繋がる次の表示画面に移動して表示させた文字を、その文字移動量に応じ上方へ移動させることで、該繋ぎ部分により繋がる手前の表示画面に表示された文字との行間を元の行間に戻すことを特徴とする請求項２に記載の電子機器。
【請求項４】
前記繋ぎ部文字非表示制御手段は、前記スクロール指示手段により上方向への表示スクロールが指示された際には、前記繋ぎ部文字表示制御手段により繋ぎ部分により繋がる次の表示画面に移動して表示させた文字と、該繋ぎ部分により繋がる手前の表示画面に表示された文字との行間を、当該手前の表示画面に表示された文字を前記次の表示画面への文字移動量に応じて下方へ移動させることで元の行間に戻すことを特徴とする請求項２に記載の電子機器。
【請求項５】
前記設定されたスクロール量は、ユーザ操作に応じて設定されたスクロール量であることを特徴とする請求項２乃至請求項４の何れか１項に記載の電子機器。
【請求項６】
前記複数の表示画面にそれぞれ対応した表示データと当該複数の表示画面間の繋ぎ部分に対応した非表示データを連続して記憶する表示メモリを備え、
前記表示制御手段および前記非表示制御手段は、前記表示メモリに対する表示データの展開を制御して表示／非表示制御することを特徴とする請求項１乃至請求項５の何れか１項に記載の電子機器。
【発明の詳細な説明】
【技術分野】
【０００１】
本発明は、例えば折り畳み式の複数の表示画面を備え、表示すべきデータを当該複数の表示画面に分割して表示するようにした携帯端末などの電子機器に関する。
【背景技術】
【０００２】
従来、ノート型のパーソナルコンピュータや携帯電話、ＰＤＡ(Personal Digital Assistant)などの小型の電子情報機器にあっては、機器本体の小型サイズを維持した上で可能な限り大きな表示画面サイズを確保する必要性から、折り畳み式にして収納可能な表示部を備えた電子機器が考えられている（例えば、特許文献１参照。）。
【０００３】
この折り畳み式の表示部を備えた電子機器は、ヒンジ部を介して開閉可能な２画面からなる表示部を備え、表示すべき画像データを各画面領域に単純に分割して表示させるものである。
【０００４】
この場合、機器本体の小型サイズを維持できるものの、２画面を開閉可能に繋いでいるヒンジ部がどうしても画面間に広めの幅を残してしまうため、文字や画像が途中で切れて分割表示されると、文字については非常に読み辛く、また画像については間延びした非常に違和感のある表示となってしまう問題がある。
【０００５】
そこで、折り畳み式の表示部を有する電子機器であっても、その折り畳みによる繋ぎ部分を薄い構造とすることで、分割された画面領域間の繋ぎ部を最小限に抑えた電子機器も考えられている（例えば、特許文献２参照。）。
【特許文献１】特開２００１−０４２３５０号公報
【特許文献２】特開２００４−１９８４７２号公報
【発明の開示】
【発明が解決しようとする課題】
【０００６】
前記従来の折り畳み式の表示部を備えた電子機器にあって、複数に分割された表示画面同士の繋ぎ部分を薄い構造とすれば、表示データを各分割画面に単純に分割表示させた場合でも、文字や画像などの違和感ある表示を大幅に抑制することができるが、折り畳みの開閉に伴う耐久性や表示駆動信号の配線位置など、その製造が構造的に非常に難しく高コストになってしまう問題がある。
【０００７】
本発明は、このような課題に鑑みなされたもので、例えば折り畳み式にした複数の表示画面間に繋ぎ部がある場合でも、文字や画像を視覚的に違和感なく表示することが可能になる電子機器を提供することを目的とする。
【課題を解決するための手段】
【０００８】
請求項１に記載の電子機器は、隣接して繋げられる複数の表示画面を１枚の画面として機能させる表示部を備えた電子機器であって、前記表示部に表示させるべき表示データを記憶する表示データ記憶手段と、この表示データ記憶手段に記憶された表示データを前記複数の表示画面に渡って展開して表示させる際に、当該表示データに含まれる文字が前記複数の表示画面間の繋ぎ部分にはみ出すか否かを判断する文字はみ出し判断手段と、この文字はみ出し判断手段により前記表示データに含まれる文字が前記複数の表示画面間の繋ぎ部分にはみ出すと判断された場合には、その文字以降の文字を当該繋ぎ部分により繋がる次の表示画面に移動して表示させる繋ぎ部文字表示制御手段と、前記表示データ記憶手段に記憶された表示データを前記複数の表示画面に渡って展開して表示させる際に、当該表示データに含まれる画像が前記複数の表示画面間の繋ぎ部分にはみ出す場合には、その画像の当該繋ぎ部分に対応する画像部分を非表示にして表示させる繋ぎ部画像非表示制御手段と、を備えたことを特徴としている。
【０００９】
請求項２に記載の電子機器は、前記請求項１に記載の電子機器において、ユーザ操作に応じて表示スクロールを指示するスクロール指示手段と、このスクロール指示手段により表示スクロールが指示された際に、前記繋ぎ部文字表示制御手段により繋ぎ部分により繋がる次の表示画面に移動して表示させた文字と、該繋ぎ部分により繋がる手前の表示画面に表示された文字との行間を、前記次の表示画面への文字移動量に応じて元の行間に戻し、繋ぎ部分に対応する文字部分を非表示にして表示させる繋ぎ部文字非表示制御手段と、この繋ぎ部文字非表示制御手段により繋ぎ部分に対応する文字部分を非表示にして表示させた状態で、全体の表示データを設定されたスクロール量で移動させながら当該繋ぎ部分を介した複数の表示画面上に表示させるスクロール表示制御手段と、を備えたことを特徴としている。
【００１０】
請求項３に記載の電子機器は、前記請求項２に記載の電子機器において、前記繋ぎ部文字非表示制御手段は、前記スクロール指示手段により下方向への表示スクロールが指示された際には、前記繋ぎ部文字表示制御手段により繋ぎ部分により繋がる次の表示画面に移動して表示させた文字を、その文字移動量に応じ上方へ移動させることで、該繋ぎ部分により繋がる手前の表示画面に表示された文字との行間を元の行間に戻すことを特徴としている。
【００１１】
請求項４に記載の電子機器は、前記請求項２に記載の電子機器において、前記繋ぎ部文字非表示制御手段は、前記スクロール指示手段により上方向への表示スクロールが指示された際には、前記繋ぎ部文字表示制御手段により繋ぎ部分により繋がる次の表示画面に移動して表示させた文字と、該繋ぎ部分により繋がる手前の表示画面に表示された文字との行間を、当該手前の表示画面に表示された文字を前記次の表示画面への文字移動量に応じて下方へ移動させることで元の行間に戻すことを特徴としている。
【００１２】
請求項５に記載の電子機器は、前記請求項２乃至請求項４の何れか１項に記載の電子機器において、前記設定されたスクロール量は、ユーザ操作に応じて設定されたスクロール量であることを特徴としている。
【００１３】
請求項６に記載の電子機器は、前記請求項１乃至請求項５の何れか１項に記載の電子機器において、前記複数の表示画面にそれぞれ対応した表示データと当該複数の表示画面間の繋ぎ部分に対応した非表示データを連続して記憶する表示メモリを備え、前記表示制御手段および前記非表示制御手段は、前記表示メモリに対する表示データの展開を制御して表示／非表示制御することを特徴としている。
【発明の効果】
【００１４】
本発明の請求項１に記載の電子機器によれば、文字はみ出し判断手段により表示データに含まれる文字が複数の表示画面間の繋ぎ部分にはみ出すと判断された場合には、その文字以降の文字を当該繋ぎ部分により繋がる次の表示画面に移動して表示させる一方で、表示データに含まれる画像が複数の表示画面間の繋ぎ部分にはみ出す場合には、その画像の当該繋ぎ部分に対応する画像部分を非表示にして表示させるので、文字については途切れたり見えなくなることなく、１画面として用いる複数の表示画面によって多くの情報を表示させることができ、且つまた、画像については間延びすることなく全体像を表示させることができる。
【００１５】
本発明の請求項２に記載の電子機器によれば、前記請求項１に記載の電子機器において、ユーザ操作に応じて表示スクロールが指示された際には、繋ぎ部文字表示制御手段により繋ぎ部分により繋がる次の表示画面に移動して表示させた文字と、該繋ぎ部分により繋がる手前の表示画面に表示された文字との行間を、前記次の表示画面への文字移動量に応じて元の行間に戻し、繋ぎ部分に対応する文字部分を非表示にして表示させ、この繋ぎ部分に対応する文字部分を非表示にして表示させた状態で、全体の表示データを設定されたスクロール量で移動させながら当該繋ぎ部分を介した複数の表示画面上に表示させるので、表示スクロールの際には文字・画像データの全体レイアウトを元に戻して自然なスクロール表示を行うことができる。
【００１６】
本発明の請求項３に記載の電子機器によれば、前記請求項２に記載の電子機器において、繋ぎ部文字非表示制御手段は、スクロール指示手段により下方向への表示スクロールが指示された際には、繋ぎ部文字表示制御手段により繋ぎ部分により繋がる次の表示画面に移動して表示させた文字を、その文字移動量に応じ上方へ移動させることで、該繋ぎ部分により繋がる手前の表示画面に表示された文字との行間を元の行間に戻すので、下方向への表示スクロールの際には、繋ぎ部へはみ出ることで該繋ぎ部の下の表示画面に移動させていた文字を元に戻してから効率よく自然な下スクロール表示を行うことができる。
【００１７】
本発明の請求項４に記載の電子機器によれば、前記請求項２に記載の電子機器において、繋ぎ部文字非表示制御手段は、スクロール指示手段により上方向への表示スクロールが指示された際には、繋ぎ部文字表示制御手段により繋ぎ部分により繋がる次の表示画面に移動して表示させた文字と、該繋ぎ部分により繋がる手前の表示画面に表示された文字との行間を、当該手前の表示画面に表示された文字を前記次の表示画面への文字移動量に応じて下方へ移動させることで元の行間に戻すので、上方向への表示スクロールの際には、繋ぎ部の手前の表示画面に表示された文字を下へ移動して当該繋ぎ部の下の表示画面に移動させていた文字との位置関係を元に戻してから効率よく自然な上スクロール表示を行うことができる。
【００１８】
本発明の請求項５に記載の電子機器によれば、前記請求項２乃至請求項４の何れか１項に記載の電子機器において、スクロール量は、ユーザ操作に応じた任意のスクロール量に設定することができる。
【００１９】
本発明の請求項６に記載の電子機器によれば、前記請求項１乃至請求項５の何れか１項に記載の電子機器において、複数の表示画面にそれぞれ対応した表示データと当該複数の表示画面間の繋ぎ部分に対応した非表示データを連続して記憶する表示メモリを備え、前記表示制御手段および前記非表示制御手段は、この表示メモリに対する表示データの展開を制御して容易に表示／非表示制御することができる。
【００２０】
よって、本発明によれば、例えば折り畳み式にした複数の表示画面間に繋ぎ部がある場合でも、文字や画像を視覚的に違和感なく表示することが可能になる電子機器を提供できる。
【発明を実施するための最良の形態】
【００２１】
以下図面により本発明の実施の形態について説明する。
【００２２】
図１は、本発明の電子機器の実施形態に係る携帯端末１０の外観構成を示す図であり、同図（Ａ）は本体閉状態での正面外観図、同図（Ｂ）は本体開状態での正面外観図である。
【００２３】
図２は、前記携帯端末１０の開閉状態を示す側面図である。
【００２４】
携帯端末１０は、後述する主要な電子回路（図３参照）がその内部に設けられた平面長方形の端末本体１０Ａと、この端末本体１０Ａの長辺に設けたヒンジ１１を介して開閉可能なカバー部１０Ｂとを筐体として備える。
【００２５】
図１（Ａ）に示すように、携帯端末１０の閉状態での正面となるカバー部１０Ｂには、その下方領域に片手で操作可能な外部キーボード１２、上方領域に外部表示部１３が設けられ、下端部にはマイク１４、上端部にはスピーカ１５が設けられる。
【００２６】
また、図１（Ｂ）に示すように、携帯端末１０の開状態での正面となる端末本体１０Ａには、両手で操作可能な大型キーボード１６が設けられ、また、カバー部１０Ｂの側には、２画面に分割された折り畳み式の表示部（ａ）１８ａ，（ｂ）１８ｂが前記端末本体１０Ａとのヒンジ１１を共用して設けられる。
【００２７】
この折り畳み式の表示部（ａ）１８ａ，（ｂ）１８ｂは、図２（Ａ），図２（Ａ１）に示すように、ヒンジ１１を介してカバー部１０Ｂを矢印ｘの方向に開いた際に、同ヒンジ１１に回動可能に支持されて、図２（Ａ２）〜図２（Ｂ）に示すように、矢印ｙの方向に展開され、端末本体１０Ａの表面積の約２倍の領域を有する同一平面の２分割表示画面を構成するもので、カバー部１０Ｂには、当該表示部（ａ）１８ａ，（ｂ）１８ｂを折り畳んで収納し携帯端末１０を閉状態とした際に、該折り畳み式表示部（ａ）１８ａ，（ｂ）１８ｂが収まる容量を有する収容凹部１７を有して構成される。
【００２８】
図３は、前記携帯端末１０の電子回路の要部構成を示すブロック図である。
【００２９】
携帯端末１０の電子回路は、ＣＰＵ(Central Processing Unit)を使用した制御部２０を備える。
【００３０】
制御部２０は、内部キーボード１２や大型キーボード１６からなる操作部２１でのユーザ操作に応じてプログラムメモリ２２に予め記憶されている端末制御プログラムを起動させ、この端末制御プログラムに従ってメインメモリ２３を作業用メモリなどとして回路各部の動作を制御する。
【００３１】
プロクラムメモリ２２に記憶される端末制御プログラムとしては、例えば本携帯端末１０を携帯電話として機能させるための発着信通話制御プログラムやメール制御プログラム、Ｗｅｂ端末として機能させるためのＷｅｂブラウザ制御プログラムなどが予め記憶され、また、折り畳み式表示部（ａ）１８ａ，（ｂ）１８ｂに対して文字や画像のデータを表示させるための表示制御プログラムも記憶される。
【００３２】
制御部２０には、前記操作部２１（１２，１６）、プログラムメモリ２２、メインメモリ２３が接続される他に、表示制御部２４を介して表示用メモリ２５、折り畳み式表示部（ａ）１８ａ，（ｂ）１８ｂが接続され、また電話基地局回線やインターネット回線との接続・通信を行うための通信部２６も接続される。
【００３３】
そして、この携帯端末１０の電子回路各部の回路ブロックは、充電池などの電源部２７から電源の供給を受けて駆動される。
【００３４】
図４は、前記携帯端末１０の表示用メモリ２５に備えられる折り畳み式表示部（ａ）１８ａ，（ｂ）１８ｂ用の表示メモリ（Ｍａ）２５ａ，（Ｍｂ）２５ｂ，（Ｍab）２５abの構成を示す図である。
【００３５】
この折り畳み式表示部（ａ）１８ａ，（ｂ）１８ｂのための表示メモリ（Ｍａ）２５ａ，（Ｍｂ）２５ｂ，（Ｍab）２５abは、第１表示部（ａ）１８ａの画面領域に対応させた表示データのメモリ領域を有する第１表示メモリ（Ｍａ）２５ａ、第２表示部（ｂ）１８ｂの画面領域に対応させた表示データのメモリ領域を有する第２表示メモリ（Ｍｂ）２５ｂ、そして第１表示部（ａ）１８ａと第２表示部（ｂ）１８ｂとの繋ぎ部領域Ｙab（図６参照）に対応させた非表示データのメモリ領域を有する非表示メモリ（Ｍab）２５abからなり、当該折り畳み式表示部（ａ）１８ａ，（ｂ）１８ｂとその画面間の繋ぎ部に対応させた連続のアドレスにより指定されるメモリ領域として構成される。
【００３６】
本装置では、テキストと画像が混在した表示データ、例えば、Ｗｅｂブラウザなどにより取得されたＷｅｂサイトのＨＰ（ホームページ）のデータを折り畳み式表示部（ａ）１８ａ，（ｂ）１８ｂによって表示させる場合に、画像のデータについては、前記第１表示部（ａ）１８ａと第２表示部（ｂ）１８ｂとの繋ぎ部に対応する部分の画像データを非表示メモリ（Ｍab）２５abに書き込み、この画像は隠された状態で表示し、間延びするような違和感なく表示させる。
【００３７】
表示すべきデータが文字のデータである場合には、前記第１表示部（ａ）１８ａと第２表示部（ｂ）１８ｂとの繋ぎ部に対応して跨ってしまう文字データについては、第１表示メモリ（Ｍａ）２５ａへの書き込みを行わず、第１表示部（ａ）１８ａに表示仕切れない文字データについては、第２表示メモリ（Ｍｂ）２５ｂの側へシフトして書き込むことで、文字情報を不明無く表示させるようにする。
【００３８】
次に、前記構成の携帯端末１０による折り畳み式表示部（ａ）１８ａ，（ｂ）１８ｂについての表示制御機能について説明する。
【００３９】
図５は、前記携帯端末１０の折り畳み式表示部（ａ）１８ａ，（ｂ）１８ｂに対する画像表示処理を示すフローチャートである。
【００４０】
図６は、前記携帯端末１０の折り畳み式表示部（ａ）１８ａ，（ｂ）１８ｂに対する画像表示処理に伴う表示メモリ（Ｍａ）２５ａ，（Ｍab）２５ab，（Ｍｂ）２５ｂへのデータ展開状態を示す図である。
【００４１】
図７は、前記図６における表示メモリ（Ｍａ）２５ａ，（Ｍab）２５ab，（Ｍｂ）２５ｂへのデータ展開状態での折り畳み式表示部（ａ）１８ａ，（ｂ）１８ｂでのデータ表示状態を示す図である。
【００４２】
例えばＷｅｂブラウザプログラムに従ってメインメモリ２３に記憶されたＷｅｂサイトのＨＰデータを表示させる場合に、当該ＨＰデータを構成するＨＴＭＬ(Hypertext Markup Language)の記述からその文字データの領域と画像データの領域配置が解釈され、その配置に応じた全体の表示データがメインメモリ２３に展開作成される（ステップＳ１）。
【００４３】
すると、例えば図６に示すように、まずメインメモリ２３に展開された文字「あいうえお…」のデータＴについてそのＨＴＭＬ指定の書式に従い先頭データから順次１行ずつ第１表示メモリ（Ｍａ）２５ａに展開される（ステップＳ２〜Ｓ４）。
【００４４】
ここで、第１表示メモリ（Ｍａ）２５ａに展開中の文字データＴについて、当該第１表示メモリ（Ｍａ）２５ａの領域下端からはみ出る文字データＴｈが有るか否か判断され（ステップＳ３）、はみ出る文字データＴｈ「たちつてと」が有ると判断された場合には（ステップＳ３（Ｙｅｓ））、このはみ出た文字データＴｈ「たちつてと」を第２表示部（ｂ）１８ｂへ強制シフト（移動）して表示させるための移動画素数Ｙtbが記録される（ステップＳ５）。
【００４５】
すると、前記はみ出た文字データＴｈ「たちつてと」以降の残りの文字データＴについて、そのＨＴＭＬ指定の書式に従い順次第２表示メモリ（Ｍｂ）２５ｂの領域上端から展開される（ステップＳ６〜Ｓ８）。
【００４６】
そして、この第２表示メモリ（Ｍｂ）２５ｂに展開中の文字データＴについて、当該第２表示メモリ（Ｍｂ）２５ｂの領域下端からはみ出る文字データＴ「まみむめも…」が有ると判断された場合には（ステップＳ７（Ｙｅｓ））、この第２表示メモリ（Ｍｂ）２５ｂに展開可能な範囲で文字データＴ「まみむめも…」が続けて展開される（ステップＳ９）。
【００４７】
続いて、前記メインメモリ２３に展開された画像データＧ（複数ある場合には各画像データＧ1,Ｇ2,…Ｇn）についてそのＨＴＭＬ指定の描画位置に従い、第１表示メモリ（Ｍａ）２５ａに展開した場合に、第１表示部（ａ）１８ａに表示仕切れないではみ出る画像データＧが有るか否か判断される（ステップＳ１０）。
【００４８】
ここで、前記メインメモリ２３に展開された画像データＧについて、第１表示メモリ（Ｍａ）２５ａに展開した場合にはみ出る画像Ｇが無いと判断された場合には（ステップＳ１０（Ｎｏ））、当該第１表示メモリ（Ｍａ）２５ａからはみ出ない画像Ｇが第１表示メモリ（Ｍａ）２５ａへの書き込み用か否か判断される（ステップＳ１１）。
【００４９】
そして、第１表示メモリ（Ｍａ）２５ａへの書き込み用であると判断れた画像データＧについては当該第１表示メモリ（Ｍａ）２５ａへ展開される（ステップＳ１１→Ｓ１２）。
【００５０】
また、第１表示メモリ（Ｍａ）２５ａへの展開用ではないと判断れた画像データＧについては第２表示メモリ（Ｍｂ）２５ｂへ展開される（ステップＳ１１→Ｓ１６）。
【００５１】
一方、前記ステップＳ１０において、例えば図６に示すように、メインメモリ２３に展開された画像データＧについて、第１表示メモリ（Ｍａ）２５ａに展開した場合にはみ出る画像Ｇがあると判断された場合には（ステップＳ１０（Ｙｅｓ））、まず、当該画像データＧが第１表示メモリ（Ｍａ）２５ａに対して展開可能な画像部分Ｇａのみ展開され（ステップＳ１３）、また、第１表示部（ａ）１８ａと第２表示部（ｂ）１８ｂとの繋ぎ部領域Ｙabに対応する画像データＧabが繋ぎ部表示メモリ（Ｍab）２５abに対して展開され（ステップＳ１４）、さらに、残りの画像データＧｂが第２表示メモリ（Ｍｂ）２５ｂに対して展開される（ステップＳ１５）。
【００５２】
この後、メインメモリ２３に展開されている第１，第２表示部（ａ）１８ａ，（ｂ）１８ｂに表示させるべき全ての画像データＧについて、前記表示メモリ２５（（Ｍａ）２５ａ，（Ｍab）２５ab，（Ｍｂ）２５ｂ）に対する展開処理が終了したと判断されると（ステップＳ１７（Ｙｅｓ））、前記一連の初期画像表示処理が終了される。
【００５３】
このように、表示すべき文字データＴについて、第１表示部（ａ）１８ａの端部で文字フォントが途中で切れてしまうような文字表示部分について、つまり第１表示メモリ（Ｍａ）２５ａからはみ出る分の文字データＴｈ以降の文字データＴについては、第２表示メモリ（Ｍｂ）２５ｂの先頭領域から展開し、また、表示すべき画像データＧについて、表示部（ａ）１８ａでは表示しきれない画像については、第１表示メモリ（Ｍａ）２５ａからはみ出る分の画像データＧab+Ｇbについてはそのまま順次繋ぎ部表示メモリ（Ｍab）２５abおよび第２表示メモリ（Ｍｂ）２５ｂに連続展開するようにしたので、図７に示すように、文字データＴについては途切れたり見えない文字が生じることなく折り畳み式の２画面表示部（ａ）１８ａ，（ｂ）１８ｂで多くの情報を明確に表示させることができ、また、画像データＧについては間延びした違和感を与えることなくバランス良く全体像を表示させることができる。
【００５４】
次に、前記構成の携帯端末１０による折り畳み式表示部（ａ）１８ａ，（ｂ）１８ｂについてのスクロール表示制御機能について説明する。
【００５５】
図８は、前記携帯端末１０の折り畳み式表示部（ａ）１８ａ，（ｂ）１８ｂに対する画像表示に伴う下方スクロール処理を示すフローチャートである。
【００５６】
図９は、前記携帯端末１０の折り畳み式表示部（ａ）１８ａ，（ｂ）１８ｂに対する画像表示の下方スクロール処理に伴う表示メモリ（Ｍａ）２５ａ，（Ｍab）２５ab，（Ｍｂ）２５ｂへのデータ展開状態を示す図である。
【００５７】
この携帯端末１０の画像表示機能では、１回のスクロールに対応する表示データの移動幅が任意に設定可能であり、設定されたスクロール１回あたりの表示移動量をＹsaとする。
【００５８】
例えばＷｅｂブラウザプログラムに従ってメインメモリ２３に記憶されたＷｅｂサイトのＨＰデータが、前記図５〜図７での画像表示処理にて説明したように、折り畳み表示部（ａ）１８ａ，（ｂ）１８ｂに表示されている状態で、大型キーボード１６での下カーソルキーの操作に従って、図８における下方スクロール処理が起動されると、まず、前記スクロール１回あたりの設定表示移動量Ｙsaが読み込まれる（ステップＡ１）。
【００５９】
そして、前記図６で示したように、第１表示メモリ（Ｍａ）２５ａ内に展開記憶されている文字・画像データが、図９に示すように、前記ステップＡ１にて読み込まれた設定移動量Ｙsa分だけ上方へ移動され書き換えられる（ステップＡ２）。
【００６０】
これと共に、前記図６で示したように、第１表示メモリ（Ｍａ）２５ａからはみ出して非表示メモリ（Ｍab）２５abおよび第２表示メモリ（Ｍｂ）２５ｂに展開されていた画像データＧab+Ｇｂも、図９に示すように、前記設定移動量Ｙsa分だけ上方へ移動され書き換えられる（ステップＡ３）。
【００６１】
さらに、前記図６で示したように、第１表示メモリ（Ｍａ）２５ａからはみ出している画像以外で非表示メモリ（Ｍab）２５abおよび第２表示メモリ（Ｍｂ）２５ｂに展開されていた文字・画像データが、図９に示すように、前記設定移動量Ｙsa＋繋ぎ部領域Ｙab＋表示はみ出しに伴う移動画素数Ｙtb分だけ上方へ移動され書き換えられる（ステップＡ４）。
【００６２】
つまりこの状態で、前記図５における画像表示処理に際して、第１表示メモリ（Ｍａ）２５ａからのはみ出しにより第２表示メモリ（Ｍｂ）２５ｂへと強制移動されていた文字「たちつてと…」データがその上方の文字データ「…さしすせそ」との間隔を通常の行間隔に詰めた元の書式状態となり、且つ画像を含む全体データが前記設定移動量Ｙsaだけ上方に移動された状態となる。
【００６３】
そして、前記図６で示したように、第２表示メモリ（Ｍｂ）２５ｂの下端から下にはみ出して表示されていなかった、例えば「まみむめも…」の途切れ部分からの文字・画像データについて、前記設定移動量Ｙsa＋繋ぎ部領域Ｙab＋表示はみ出しに伴う移動画素数Ｙtb分だけ、前記メインメモリ２３から追加で読み出され、図９に示すように、第２表示メモリ（Ｍｂ）２５ｂに追加展開される（ステップＡ５）。
【００６４】
この後、大型キーボード１６での下カーソルキーの操作に従って、下スクロールの指示が継続されている状態では（ステップＡ６（Ｙｅｓ））、前記ステップＡ１〜Ａ５での処理に従って、図９に示すように文字データの行間を元に戻した状態での設定移動量Ｙsaのスクロールが開始されて各表示メモリ（Ｍａ）２５ａ，（Ｍab）２５ab，（Ｍｂ）２５ｂに展開された全ての文字・画像データが、当該設定移動量Ｙsaだけ上方へ繰り返し移動され書き換えられると共に（ステップＡ７）、同設定移動量Ｙsaに対応して下に続く文字・画像データがメインメモリ２３から繰り返し追加で読み出され、第２表示メモリ（Ｍｂ）２５ｂの下端に追加展開される（ステップＡ８）。
【００６５】
これにより、前記図５における画像表示処理に際しては、図７で示したように文字データが第１表示部（ａ）１８ａと第２表示部（ｂ）１８ｂとの繋ぎ部に跨らないようにして表示させた表示データを、この下スクロール処理に際しては、前記繋ぎ部により文字の一部が隠れるのに関係なく元の表示データの書式通りの文字・画像データの配置にして順次下スクロールさせ表示させることができ、表示データの自然の状態を維持して違和感のない下スクロール表示を実現することができる。
【００６６】
そしてこの後、下スクロールの指示が解除されると（ステップＡ６（Ｎｏ））、この時点で、第１表示メモリ（Ｍａ）２５ａの下端からはみ出して非表示メモリ（Ｍab）２５abに跨り展開されている文字の当該第１表示メモリ（Ｍａ）２５ａ側の長さ（表示はみ出しに伴う移動画素数）Ｙtbが算出される（ステップＡ９）。
【００６７】
そして、前記第１表示メモリ（Ｍａ）２５ａの下端からはみ出して非表示メモリ（Ｍab）２５abに跨り展開されている文字データと、非表示メモリ（Ｍab）２５abおよび第２表示メモリ（Ｍｂ）２５ｂにのみ展開されている文字・画像データが、前記繋ぎ部領域Ｙab＋表示はみ出しに伴う移動画素数Ｙtb分だけ下方向へ移動されて書き換えられ、当該第１表示部（ａ）１８ａの下端からはみ出して繋ぎ部にて隠される文字データが第２表示部（ｂ）１８ｂの上端から展開表示される（ステップＡ１０）。
【００６８】
つまり、下スクロール処理前と同様にして、文字データを明確に見ることができ、且つ画像データが間延びせず違和感なく見ることのできる、元の画像表示の状態に戻される。
【００６９】
図１０は、前記携帯端末１０の折り畳み式表示部（ａ）１８ａ，（ｂ）１８ｂに対する画像表示に伴う上方スクロール処理を示すフローチャートである。
【００７０】
例えばＷｅｂブラウザプログラムに従ってメインメモリ２３に記憶されたＷｅｂサイトのＨＰデータが、前記図５〜図７での画像表示処理にて説明したように、折り畳み表示部（ａ）１８ａ，（ｂ）１８ｂに表示されている状態で、大型キーボード１６での上カーソルキーの操作に従って、図１０における上方スクロール処理が起動されると、まず、前記スクロール１回あたりの設定表示移動量Ｙsaが読み込まれる（ステップＢ１）。
【００７１】
すると、この設定表示移動量Ｙsaが、前記画像表示処理（図５・図６参照）に伴い第１表示メモリ（Ｍａ）２５ａの下端からはみ出した文字データ「たちつてと…」を第２表示メモリ（Ｍｂ）２５ｂまで移動させて展開した移動量（繋ぎ部領域Ｙab＋表示はみ出しに伴う移動画素数Ｙtb）よりも小さいか否か判断される（ステップＢ２）。
【００７２】
ここで、（Ｙab＋Ｙtb）≦Ｙsaである、つまり前記画像表示処理での第１表示メモリ（Ｍａ）２５ａからのはみ出し文字の第２表示メモリ（Ｍｂ）２５ｂへの強制移動量（Ｙab＋Ｙtb）よりも今回の上方スクロール処理に伴う設定移動量Ｙsaの方が大きいと判断された場合には（ステップＢ２（Ｎｏ））、先ずこの設定移動量Ｙsaが前記はみ出し文字の強制移動量（Ｙab＋Ｙtb）よりも大きい差分（Ｙsa−Ｙab−Ｙtb）だけ、第１表示メモリ（Ｍａ）２５ａからはみ出している画像以外の非表示メモリ（Ｍab）２５abおよび第２表示メモリ（Ｍｂ）２５ｂに展開されている文字・データについて先行して下方向へ移動され書き換えられる（ステップＢ３）。
【００７３】
そして、これに続いて第１表示メモリ（Ｍａ）２５ａに展開されている文字・画像データと、当該第１表示メモリ（Ｍａ）２５ａからはみ出している画像データについて、設定移動量Ｙsaだけ下方向へ移動され書き換えられる（ステップＢ６）。
【００７４】
つまりこの状態で、前記図５における画像表示処理に際して、第１表示メモリ（Ｍａ）２５ａからのはみ出しにより第２表示メモリ（Ｍｂ）２５ｂへと強制移動されていた文字「たちつてと…」データに対してその上方の文字データ「…さしすせそ」が通常の行間隔まで詰められた元の書式状態となり、且つ前記設定移動量Ｙsaに対応した文字・画像データの初回の下方移動がなされた状態となる。
【００７５】
そして、前記図６で示したように、第１表示メモリ（Ｍａ）２５ａの上端より上にあって表示されていなかった文字・画像データについて、前記設定移動量Ｙsaの幅分だけ、前記メインメモリ２３から追加で読み出され、第１表示メモリ（Ｍａ）２５ａの上端から追加展開され補充される（ステップＢ７）。
【００７６】
一方、前記ステップＢ２において、（Ｙab＋Ｙtb）＞Ｙsaである、つまり前記画像表示処理での第１表示メモリ（Ｍａ）２５ａからのはみ出し文字の第２表示メモリ（Ｍｂ）２５ｂへの強制移動量（Ｙab＋Ｙtb）よりも今回の上方スクロール処理に伴う設定移動量Ｙsaの方が小さいと判断された場合には（ステップＢ２（Ｙｅｓ））、先ずこの設定移動量Ｙsaが前記はみ出し文字の強制移動量（Ｙab＋Ｙtb）よりも小さい差分（Ｙab＋Ｙtb−Ｙsa）だけ、第１表示メモリ（Ｍａ）２５ａからはみ出している画像以外の非表示メモリ（Ｍab）２５abおよび第２表示メモリ（Ｍｂ）２５ｂに展開されている文字・データについて上方向へ戻すように移動され書き換えられる（ステップＢ４）。
【００７７】
そして、この非表示メモリ（Ｍab）２５abおよび第２表示メモリ（Ｍｂ）２５ｂに展開されている文字・データについての（Ｙab＋Ｙtb−Ｙsa）分の上方向への戻し移動量に対応して、その下に続く文字・画像データがメインメモリ２３から読み出され、第２表示メモリ（Ｍｂ）２５ｂの下端に追加補充展開される（ステップＢ５）。
【００７８】
これに続いて第１表示メモリ（Ｍａ）２５ａに展開されている文字・画像データと、当該第１表示メモリ（Ｍａ）２５ａからはみ出している画像データについて、設定移動量Ｙsaだけ下方向へ移動され書き換えられる（ステップＢ６）。
【００７９】
つまりこの状態で、前記図５における画像表示処理に際して、第１表示メモリ（Ｍａ）２５ａからのはみ出しにより第２表示メモリ（Ｍｂ）２５ｂへと強制移動されていた文字「たちつてと…」に対してその上方の文字データ「…さしすせそ」が通常の行間隔まで詰められた元の書式状態となり、且つ前記設定移動量Ｙsaに対応した文字・画像データの初回の下方移動がなされた状態となる。
【００８０】
そして、前記図６で示したように、第１表示メモリ（Ｍａ）２５ａの上端より上にあって表示されていなかった文字・画像データについて、前記設定移動量Ｙsaの幅分だけ、前記メインメモリ２３から追加で読み出され、第１表示メモリ（Ｍａ）２５ａの上端から追加展開され補充される（ステップＢ７）。
【００８１】
このように、前記ステップＢ１〜Ｂ７での上方スクロールの初回処理によって、折り畳み表示部（ａ）１８ａ，（ｂ）１８ｂの繋ぎ部領域Ｙabに応じて行間が空けられた文字データが元の行間隔に詰められると共に、その上方スクロールに伴う設定移動量Ｙsaに対応した文字・画像データの初回の下方移動がなされた状態において、上カーソルキーの操作に従い、上スクロールの指示が継続されている場合には（ステップＢ８（Ｙｅｓ））、前記上スクロールの初回移動が開始されて各表示メモリ（Ｍａ）２５ａ，（Ｍab）２５ab，（Ｍｂ）２５ｂに展開された全ての文字・画像データが、その設定移動量Ｙsaだけ下方へ繰り返し移動され書き換えられると共に（ステップＢ９）、同設定移動量Ｙsaに対応して上に続く文字・画像データがメインメモリ２３から繰り返し追加で読み出され、第１表示メモリ（Ｍａ）２５ａの上端から追加展開される（ステップＢ１０）。
【００８２】
これにより、前記図５における画像表示処理に際しては、図７で示したように文字データが第１表示部（ａ）１８ａと第２表示部（ｂ）１８ｂとの繋ぎ部に跨らないようにして表示させた表示データを、この上スクロール処理に際しては、前記繋ぎ部により文字の一部が隠れるのに関係なく元の表示データの書式通りの文字・画像データの配置にして順次上スクロールさせ表示させることができ、表示データの自然の状態を維持して違和感のない上スクロール表示を実現することができる。
【００８３】
そしてこの後、上スクロールの指示が解除されると（ステップＢ８（Ｎｏ））、この時点で、第１表示メモリ（Ｍａ）２５ａの下端からはみ出して非表示メモリ（Ｍab）２５abに跨り展開されている文字の当該第１表示メモリ（Ｍａ）２５ａ側の長さ（表示はみ出しに伴う移動画素数）Ｙtbが算出される（ステップＢ１１）。
【００８４】
そして、前記第１表示メモリ（Ｍａ）２５ａの下端からはみ出して非表示メモリ（Ｍab）２５abに跨り展開されている文字データと、非表示メモリ（Ｍab）２５abおよび第２表示メモリ（Ｍｂ）２５ｂにのみ展開されている文字・画像データが、前記繋ぎ部領域Ｙab＋表示はみ出しに伴う移動画素数Ｙtb分だけ下方向へ移動されて書き換えられ、当該第１表示部（ａ）１８ａの下端からはみ出して繋ぎ部にて隠される文字データが第２表示部（ｂ）１８ｂの上端から展開表示される（ステップＡ１０）。
【００８５】
つまり、上スクロール処理前と同様にして、文字データを明確に見ることができ、且つ画像データが間延びせず違和感なく見ることのできる、元の画像表示の状態に戻される。
【００８６】
したがって、前記構成の携帯端末１０による折り畳み式表示部（ａ）１８ａ，（ｂ）１８ｂについての表示制御機能によれば、その第１表示部（ａ）１８ａに対応する第１表示メモリ（Ｍａ）２５ａと、第２表示部（ｂ）１８ｂに対応する第２表示メモリ（Ｍｂ）２５ｂと、その繋ぎ部領域Ｙabに対応する非表示メモリ（Ｍab）２５abとを備え、表示対象としてメインメモリ２３から当該各表示メモリ（Ｍａ）２５ａ，（Ｍab）２５ab，（Ｍｂ）２５ｂに展開される文字・画像データのうち、第１表示メモリ（Ｍａ）２５ａの下端からはみ出してしまう文字データＴｈについては、第２表示メモリ（Ｍｂ）２５ｂの先頭から展開して繋ぎ部領域Ｙabに隠されないようにする一方で、同第１表示メモリ（Ｍａ）２５ａの下端からはみ出して非表示メモリ（Ｍab）２５abに跨ってしまう画像データＧabについては、そのままの状態で当該各表示メモリ（Ｍａ）２５ａ，（Ｍab）２５abに連続展開し、その一部画像が繋ぎ部領域Ｙabに隠されても間延びしないようにしたので、文字データＴについては途切れたり見えない文字が生じることなく折り畳み式の２画面表示部（ａ）１８ａ，（ｂ）１８ｂによって多くの情報を明確に表示させることができ、且つまた、画像データＧについては間延びした違和感を与えることなくバランス良く全体像を表示させることができる。
【００８７】
また、前記構成の携帯端末１０による折り畳み式表示部（ａ）１８ａ，（ｂ）１８ｂについての表示制御機能によれば、スクロール表示を行う場合には、前記第１表示メモリ（Ｍａ）２５ａの下端からはみ出してしまうことにより第２表示メモリ（Ｍｂ）２５ｂの先頭までシフトして繋ぎ部領域Ｙabを避けて展開した文字データＴｈについて、まずそのスクロールの方向に応じて、第２表示メモリ（Ｍｂ）２５ｂに展開されている文字データを表示初期のシフト量（Ｙab＋Ｙtb）に対応して上方へ移動して第１表示メモリ（Ｍａ）２５ａ〜第２表示メモリ（Ｍｂ）２５ｂに渡り連続展開するか、または第１表示メモリ（Ｍａ）２５ａに展開されている文字データをそれ以下の文字データの表示初期のシフト量（Ｙab＋Ｙtb）に対応して下方へ移動して第１表示メモリ（Ｍａ）２５ａ〜第２表示メモリ（Ｍｂ）２５ｂに渡り連続展開する。これにより、前記繋ぎ部領域Ｙabを避けて空けられた行間を元に戻し、この後スクロール設定移動量Ｙsaに対応して全体の文字・画像データを上方向または下方向に繰り返し移動展開しスクロール表示するようにしたので、表示スクロール時には繋ぎ部領域Ｙabに関係なく文字・画像データの全体を設定通りの配置構成として自然な違和感のないスクロール表示を行うことかできる。
【００８８】
なお、本願発明は、前記各実施形態に限定されるものではなく、実施段階ではその要旨を逸脱しない範囲で種々に変形することが可能である。さらに、前記各実施形態には種々の段階の発明が含まれており、開示される複数の構成要件における適宜な組み合わせにより種々の発明が抽出され得る。例えば、各実施形態に示される全構成要件から幾つかの構成要件が削除されたり、幾つかの構成要件が組み合わされても、発明が解決しようとする課題の欄で述べた課題が解決でき、発明の効果の欄で述べられている効果が得られる場合には、この構成要件が削除されたり組み合わされた構成が発明として抽出され得るものである。
【図面の簡単な説明】
【００８９】
【図１】本発明の電子機器の実施形態に係る携帯端末１０の外観構成を示す図であり、同図（Ａ）は本体閉状態での正面外観図、同図（Ｂ）は本体開状態での正面外観図。
【図２】前記携帯端末１０の開閉状態を示す側面図。
【図３】前記携帯端末１０の電子回路の要部構成を示すブロック図。
【図４】前記携帯端末１０の表示用メモリ２５に備えられる折り畳み式表示部（ａ）１８ａ，（ｂ）１８ｂ用の表示メモリ（Ｍａ）２５ａ，（Ｍｂ）２５ｂ，（Ｍab）２５abの構成を示す図。
【図５】前記携帯端末１０の折り畳み式表示部（ａ）１８ａ，（ｂ）１８ｂに対する画像表示処理を示すフローチャート。
【図６】前記携帯端末１０の折り畳み式表示部（ａ）１８ａ，（ｂ）１８ｂに対する画像表示処理に伴う表示メモリ（Ｍａ）２５ａ，（Ｍab）２５ab，（Ｍｂ）２５ｂへのデータ展開状態を示す図。
【図７】前記図６における表示メモリ（Ｍａ）２５ａ，（Ｍab）２５ab，（Ｍｂ）２５ｂへのデータ展開状態での折り畳み式表示部（ａ）１８ａ，（ｂ）１８ｂでのデータ表示状態を示す図。
【図８】前記携帯端末１０の折り畳み式表示部（ａ）１８ａ，（ｂ）１８ｂに対する画像表示に伴う下方スクロール処理を示すフローチャート。
【図９】前記携帯端末１０の折り畳み式表示部（ａ）１８ａ，（ｂ）１８ｂに対する画像表示下方スクロール処理に伴う表示メモリ（Ｍａ）２５ａ，（Ｍab）２５ab，（Ｍｂ）２５ｂへのデータ展開状態を示す図。
【図１０】前記携帯端末１０の折り畳み式表示部（ａ）１８ａ，（ｂ）１８ｂに対する画像表示に伴う上方スクロール処理を示すフローチャート。
【符号の説明】
【００９０】
１０  …携帯端末
１０Ａ…端末本体
１０Ｂ…カバー
１１  …ヒンジ
１２  …外部キーボード
１３  …外部表示部
１４  …マイク
１５  …スピーカ
１６  …大型キーボード
１７  …収容凹部
１８ａ，１８ｂ…折り畳み式表示部（第１，第２表示部）
２０  …制御部（ＣＰＵ）
２１  …操作部（１２，１６）
２２  …プログラムメモリ
２３  …メインメモリ
２４  …表示制御部
２５  …表示用メモリ
２５ａ…第１表示メモリ（Ｍａ）
２５ｂ…非表示メモリ（Ｍab）
２５ｃ…第２表示メモリ（Ｍｂ）
２６  …通信部
２７  …電源部
Ｔ  …文字データ
Ｇ  …画像データ
【図１】
2007122649.tif 000003
【図２】
2007122649.tif 000004
【図３】
2007122649.tif 000005
【図４】
2007122649.tif 000006
【図５】
2007122649.tif 000007
【図６】
2007122649.tif 000008
【図７】
2007122649.tif 000009
【図８】
2007122649.tif 000010
【図９】
2007122649.tif 000011
【図１０】
2007122649.tif 000012